(57)【特許請求の範囲】
【請求項１】
光が入射される入射面と、入射された光を射出する射出面と、当該射出面と対向し、入射された光を反射する反射面と、を有する導光体において、
前記反射面は、前記射出面と略垂直な方向に光を反射する複数の第１反射部と、当該複数の第１反射部それぞれの間に形成された複数の第２反射部と、を備え、
前記第１反射部は、フレネル形状からなる放物面となるように形成されているとともに、
前記放物面の焦点は、前記複数の第２反射部それぞれを延ばしたときに形成される交線上に位置し、
前記射出面には、前記第１反射部の略中央を焦点とするレンズが複数設けられていることを特徴とする導光体。
【請求項２】
前記第２反射部が平面からなることを特徴とする請求項１記載の導光体。
【請求項３】
前記反射面には、光の透過を防ぐ反射部材が設けられていることを特徴とする請求項１又は２記載の導光体。
【請求項４】
前記反射面と直交する面のうち、前記放物面の焦点近傍の面に前記反射部材が設けられていることを特徴とする請求項３記載の導光体。
【請求項５】
前記射出面に沿って細長形状に形成された前記導光体のうち、前記放物面の焦点とは反対側の先端には、所定角度の面取りが施されていることを特徴とする請求項１から４のいずれか記載の導光体。
【請求項６】
前記先端には、前記反射面と略直交する方向に突出した突起部が設けられていることを特徴とする請求項５記載の導光体。
【請求項７】
媒体が挿入されるゲート口と、当該ゲート口から挿入された媒体を内部に搬送する媒体搬送機構と、を有する媒体処理装置における媒体ゲート機構において、
前記媒体ゲート機構は、
前記ゲート口を構成するゲートフレームと、
光源からの光を前記ゲートフレームに導く請求項１から６のいずれか記載の導光体と、を備えることを特徴とする媒体ゲート機構。
【請求項８】
前記導光体と前記ゲートフレームとは、一体的に形成されていることを特徴とする請求項７記載の媒体ゲート機構。
【請求項９】
前記ゲートフレームは、透明体で構成されるとともに、表面にはマット処理が施されていることを特徴とする請求項７又は８記載の媒体ゲート機構。
【発明の詳細な説明】
【技術分野】
【０００１】
本発明は、ＬＥＤなどの光源からの光によって発光する導光体及びその導光体を備えた媒体ゲート機構に関する。
【背景技術】
【０００２】
従来から、カードリーダのカード挿入口（ゲート口）付近を光らせて、薄暗い中でも利用者がカード挿入口の位置を視認できるようにしたり、薄暗い中で装飾機能を発揮させたりする場合がある。例えば、特許文献１に開示されたカードリーダにおけるカードゲート機構では、発光源として複数個のＬＥＤを用いて、カード挿入口を構成するゲートフレームを光らせている。
【０００３】
しかし、部品点数及び製造コストの削減要請から、少しでも少ない（例えば１個の）ＬＥＤによってゲートフレームを光らせる必要がある。そこで、例えば特許文献２に開示された面発光表示装置を用いて、カードゲート機構のゲートフレームを光らせることを考える。特許文献２に開示された面発光表示装置は、１個のＬＥＤを発光源としており、ＬＥＤから出射された光が導光板内に入射されると、クサビ型の導光板内で散乱反射が繰り返され、その過程で射出面から光が射出し、射出した光を用いて任意の絵や文字を表示する、という装置である。この面発光表示装置によれば、１個のＬＥＤによって、ゲートフレームの一辺全体を光らせることができる。
【０００４】
【特許文献１】特再ＷＯ０２／０４２９９０号（図２参照）
【特許文献２】特開２００１−２２９７２３号公報（図１参照）
【発明の開示】
【発明が解決しようとする課題】
【０００５】
しかしながら、特許文献２に開示された面発光表示装置では、ゲートフレームの一辺を均一に光らせることができない、という問題がある。
【０００６】
すなわち、特許文献２に開示された面発光表示装置は、上述のとおりクサビ型の導光板内で散乱反射が繰り返され、その過程で、射出面から光が射出するものであるが、この射出光のうち、射出面と略垂直な方向に射出される光は、ＬＥＤ近傍では、射出面又は反射面での反射をほとんど経ていない光から生成される一方で、ＬＥＤから離れた箇所では、射出面又は反射面での反射を何回か経た後の光から生成される。
【０００７】
従って、射出面と略垂直な方向に射出される光は、ＬＥＤ近傍では光量が多く（光強度が強く）なり、ＬＥＤから離れた箇所では光量が少なく（光強度が弱く）なることから、結果的に、ＬＥＤ近傍とＬＥＤから離れた箇所とで光量にばらつきが生じてしまい、ゲートフレームを均一に光らせることができない。
【０００８】
本発明は、このような点に鑑みてなされたものであり、その目的は、射出面と略垂直な方向に射出される光の光量のばらつきを抑えることが可能な導光体及びその導光体を備えた媒体ゲート機構を提供することにある。
【課題を解決するための手段】
【０００９】
以上のような課題を解決するために、本発明は、以下のものを提供する。
【００１０】
（１）  光が入射される入射面と、入射された光を射出する射出面と、当該射出面と対向し、入射された光を反射する反射面と、を有する導光体において、前記反射面は、前記射出面と略垂直な方向に光を反射する複数の第１反射部と、当該複数の第１反射部それぞれの間に形成された複数の第２反射部と、を備え、前記第１反射部は、フレネル形状からなる放物面となるように形成されているとともに、前記放物面の焦点は、前記複数の第２反射部それぞれを延ばしたときに形成される交線上に位置し、前記射出面には、前記第１反射部の略中央を焦点とするレンズが複数設けられていることを特徴とする導光体。
【００１１】
本発明によれば、入射面と射出面と反射面とを有する導光体において、反射面には、射出面と略垂直な方向に光を反射する複数の第１反射部と、複数の第１反射部それぞれの間に形成された複数の第２反射部と、が設けられ、第１反射部は、フレネル形状からなる放物面となるように形成され、その放物面の焦点が、複数の第２反射部それぞれを延ばしたときに形成される交線上に位置することとしたので、射出面と略垂直な方向に射出される光の光量のばらつきを抑えることができる。
【００１２】
すなわち、反射面のうちの第１反射部を、複数の第２反射部それぞれを延ばしたときに形成される交線上に位置する点を焦点とする放物面であって、かつ、フレネル形状からなる放物面となるように形成したので、その焦点から発せられた光は、どの第１反射部においても、射出面と略垂直な方向に反射されることになる。従って、例えばＬＥＤなどの光源に基づく発光点を、上述の焦点と一致させることによって、複数の第１反射部のうちのどの第１反射部においても、射出面と略垂直な方向に射出される光が均一に生成されることになる結果、発光点近傍と発光点から離れた箇所とで、射出面と略垂直な方向に射出される光の光量のばらつきを抑えることができる。
【００１３】
特に、本発明は、単に、第１反射部をフレネル形状からなる放物面となるように形成したものではなく、上述した放物面の焦点が、複数の第２反射部それぞれを延ばしたときに形成される交線上に位置するような構成としている。従って、第１反射部のうち、焦点から発せられた光が当たらない領域を排除することができるので、射出面と略垂直な方向に射出される光を効率的に得ることができる。
【００１４】
ここで、「フレネル形状からなる放物面」とは、放物面の集光性能を保ちつつ、放物面の厚み（放物面の頂点と焦点を結ぶ方向への厚み）を減らしたものをいう。また、放物面の焦点は、「第２反射部それぞれを延ばしたときに形成される交線上」に位置することとしているが、全ての第２反射部を延ばしたときに形成される交線上であってもよいし、一部の（いくつか複数の）第２反射部を延ばしたときに形成される交線上であってもよい。さらに、放物面の焦点は「交線上」に位置することとしているが、これは、焦点が交線上の任意の点と完全一致していてもよいし、焦点が交線付近の任意の点と一致していてもよい。
【００１５】
前記射出面には、前記第１反射部の略中央を焦点とするレンズが複数設けられていることを特徴とする。
【００１６】
本発明によれば、上述した射出面には、第１反射部の略中央を焦点とするレンズが複数設けられている（例えばレンズアレイが設けられている）こととしたので、射出面における光の斑を大きくし、射出面から射出される光をより均一化することができる。
【００１７】
すなわち、複数のレンズを通して射出面を視認すると、複数のレンズを通さずに射出面を視認した場合と比べて光の無い領域を狭くすることができるので、その結果、射出面から射出される光をより均一化することができる（光量のばらつきを抑えることができる）。
【００１８】
ここで、本発明では、第１反射部の略中央を焦点とするレンズが複数「設けられている」こととしたが、例えば、射出面に複数のレンズを後付けしてもよいし、射出面と複数のレンズを一体的に形成してもよい。また、「複数のレンズ」は、一体的に形成されたいわゆるレンズアレイであってもよいし、別個独立の複数のレンズであってもよい。
【００１９】
（２）  前記第２反射部が平面からなることを特徴とする（１）記載の導光体。
（３）  前記反射面には、光の透過を防ぐ反射部材が設けられていることを特徴とする（１）又は（２）記載の導光体。
【００２０】
本発明によれば、上述した反射面には、光の透過を防ぐ反射部材が設けられていることした（例えばミラーコートを施した）ので、反射面からの光の放出を防ぎ、ひいては光束ロスを防ぐことができる。
【００２１】
（４）  前記反射面と直交する面のうち、前記放物面の焦点近傍の面に前記反射部材が設けられていることを特徴とする（３）記載の導光体。
【００２２】
本発明によれば、上述した反射面と直交する面のうち、焦点近傍の面に反射部材が設けられていることとしたので、この面からの光の放出を防ぎ、ひいては光束ロスを防ぐことができる。特に、本発明は、光の入射角が小さい焦点近傍の面にのみ反射部材を設けているので、最も透過し易い焦点近傍の面からの光の放出を効率的に防ぐとともに、反射部材で反射することに起因して生じる光の減衰を抑えることができる。
【００２３】
（５）  前記射出面に沿って細長形状に形成された前記導光体のうち、前記放物面の焦点とは反対側の先端には、所定角度の面取りが施されていることを特徴とする（１）から（４）のいずれか記載の導光体。
【００２４】
本発明によれば、上述した射出面に沿って細長形状に形成された導光体のうち、焦点とは反対側の先端に所定角度（例えば４５度）の面取りが施されていることとしたので、導光体内を通過してきた光を、導光体の長手方向と直交する方向に導くことができる。
【００２５】
（６）  前記先端には、前記反射面と略直交する方向に突出した突起部が設けられていることを特徴とする（５）記載の導光体。
【００２６】
本発明によれば、上述した先端に、反射面と略直交する方向に突出した突起部が設けられていることとしたので、導光体の長手方向と直交する方向に導かれた光を、突起部の一面から射出させることができる。これにより、例えば、入射された光を射出する射出面をライン状ではなくＬ字形状にすることができる。そして、例えば突起部を有する導光体を２個組み合わせることによって、入射された光を射出する射出面をロ字形状にすることができる。
【００２７】
（７）  媒体が挿入されるゲート口と、当該ゲート口から挿入された媒体を内部に搬送する媒体搬送機構と、を有する媒体処理装置における媒体ゲート機構において、前記媒体ゲート機構は、前記ゲート口を構成するゲートフレームと、光源からの光を前記ゲートフレームに導く請求項１から６のいずれか記載の導光体と、を備えることを特徴とする媒体ゲート機構。
【００２８】
本発明によれば、ゲート口と媒体搬送機構を有する媒体処理装置（例えばカードリーダ）における媒体ゲート機構において、ゲート口を構成するゲートフレームに光源からの光を導くために、上述した導光体を設けることとしたので、ゲートフレームに入射される光の光量のばらつきを抑えた媒体ゲート機構を提供することができ、ひいてはゲートフレームを均一に光らせることが可能な媒体ゲート機構を提供することができる。
【００２９】
（８）  前記導光体と前記ゲートフレームとは、一体的に形成されていることを特徴とする（７）記載の媒体ゲート機構。
【００３０】
本発明によれば、上述した導光体とゲートフレームとは、一体的に形成されていることとしたので、均一に光らせることができるゲートフレームを、簡易に媒体ゲート機構に組み込むことができる。また、製造工程の効率化にも資する。
【００３１】
（９）  前記ゲートフレームは、透明体で構成されるとともに、表面にはマット処理が施されていることを特徴とする（７）又は（８）記載の媒体ゲート機構。
【００３２】
本発明によれば、上述したゲートフレームは透明体で構成され、表面にはマット（拡散）処理が施されていることとしたので、ゲートフレームに入射される光の光量が少ないものであっても、明るく見せることができる。
【００３３】
より詳細に説明すると、上述した導光体は、射出面と略垂直な方向に射出される光を第１反射部から得るものであるため、たとえ上述したレンズアレイを設けたとしても、その光が斑状になるのは避けられない。従って、例えばゲートフレームを拡散材によって構成し、ゲートフレーム全体の光強度を均一化することが考えられる。しかし、拡散材によってゲートフレームを構成した場合には、ゲートフレームに入射された光が過渡の拡散によって弱まってしまい、結果的に、ゲートフレーム全体の光強度が低下してしまう。その一方で、本発明のように、内部は透明体で構成し、表面にマット処理を施したゲートフレームであれば、過渡の拡散を防いでゲートフレーム全体の光強度が低下してしまうのを防ぎつつ、マット処理が施された表面においてゲートフレーム全体の光強度を均一化することができる。このように、ゲートフレームに入射される光の光量が少ないものであっても、明るく見せることが可能になる。
【発明の効果】
【００３４】
以上説明したように、本発明によれば、第１反射部を、フレネル形状からなる放物面であって、複数の第２反射部それぞれを延ばしたときに形成される交線上に位置する点を焦点とする放物面となるように形成したので、例えばＬＥＤなどの光源に基づく発光点を、上述の焦点と一致させたとき、発光点近傍と発光点から離れた箇所とで、射出面と略垂直な方向に射出される光の光量のばらつきを抑えることができる。
【発明を実施するための最良の形態】
【００３５】
以下、本発明を実施するための最良の形態について、図面を参照しながら説明する。
【００３６】
図１は、本発明の実施の形態に係る導光体１の外観構成を示す斜視図である。
【００３７】
図１において、導光体１は、例えば、アクリル樹脂，ポリカーボネート樹脂などの透光性を有する熱可塑性樹脂からなり、射出面に沿って細長形状に形成され、長方形断面を有している。導光体１には、光が入射される入射面３と、入射された光を射出する射出面６と、その射出面と対向し、入射された光を反射する反射面５と、が形成されている。
【００３８】
入射面３の近傍には、ＬＥＤからなる光源２が配置されており、この光源２からの光が入射面３を介して導光体１に入射される。なお、光源２の種類の如何は問わない。砲弾型やチップ型のＬＥＤであってもよいし、白，青，緑，赤など、どの発光色のＬＥＤであってもよい。
【００３９】
入射面３を介して導光体１に入射された光は、傾斜部４で反射した後、導光体１の反射面５へと伝搬していく。反射面５は、射出面６とおよそ垂直な方向に光を反射する複数の第１反射部５ａと、複数の第１反射部５ａのそれぞれの間に形成された複数の第２反射部５ｂと、を有している。また、反射面５及び傾斜部４には、光の透過を防ぐミラーコート（図示せず）が施されている。さらに、反射面５と直交する面のうち、光源２近傍の面（両面）にもミラーコートが施されている（図１中の斜線部参照）。これらのミラーコートによって、光束ロスを防ぐことができる。特に、後者のミラーコートによって、光が最も透過し易い面（図１中の斜線部参照）からの光の放出を効率的に防ぎつつ、光源２から離れた箇所においては、ミラーコートで反射することに起因して生じる光の減衰を抑えることができる。
【００４０】
なお、ミラーコートの種類としては、シルバーミラーコート，ゴールドミラーコート，ブルーミラーコート，或いはピンクミラーコートなど、様々な種類のものが挙げられる。また、ミラーコートの代わりに、例えば、ガラスビーズやプリズムを反射面５に設けてもよいし、反射シートを反射面５に貼付してもよい。さらに、反射面５をマット面にしてもよいし、反射面５に白色顔料を塗布してもよい。
【００４１】
射出面６には、レンズアレイ７が一体的に形成されており、このレンズアレイ７は、第１反射部５ａのおよそ中央を焦点とする円形レンズを複数並べた構造となっている。反射面５（主に第１反射部５ａ）で反射した光は、射出面６及びレンズアレイ７を透過した後、外部へ射出される。一方、導光体１のうち、光源２が存在する側とは反対側の先端には、およそ４５度の面取り部８が形成されている。また、その先端には、反射面５と直交する方向に突出した突起部９が形成されている。
【００４２】
このような構成からなる導光体１において、射出面とおよそ垂直な方向に光が射出される様子を、図２を用いて詳述する。図２は、図１に示す導光体１を背面側（図１のＸ方向）から見たときの側面図である。
【００４３】
図２において、光源２から出射した３本の光Ｌ１，Ｌ２，Ｌ３は、いずれも傾斜部４で反射した後、反射面５の第１反射部５ａへと向かう。そして、これらの光Ｌ１〜Ｌ３は、いずれも反射面５の第１反射部５ａにおいて、射出面６と垂直な方向の光となるように反射され、そのまま射出面６及びレンズアレイ７を介して外部に射出される。
【００４４】
ここで、反射面５の第１反射部５ａにおいて、反射光が射出面６とおよそ垂直な方向の光となるのは、第１反射部５ａがフレネル形状からなる放物面となるように形成されており、また、その放物面の焦点が複数の第２反射部５ｂをそれぞれ延ばしたときに形成される交線上に位置するからである。この原理について、図３を用いて詳述する。図３は、反射面５の第１反射部５ａにおいて、反射光が射出面６と垂直な方向の光となる原理を説明するための説明図である。
【００４５】
図３において、まず、焦点を図中のＰとする放物面１１を考える（図３（ａ）参照）。焦点Ｐから出射した光が放物面１１で反射すると、放物面１１の頂点Ｑと焦点Ｐとを結ぶ直線と平行な光（例えばＰ１〜Ｐ６）となる。
【００４６】
次に、放物面１１のうち扇形の実線部に着目する。この扇形の実線部を拡大し、かつ、フレネル形状からなる放物面となるように形成したのが、図３（ｂ）である。図３（ｂ）では、図３（ａ）と比べて、放物面１１の頂点Ｑと焦点Ｐとを結ぶ方向の厚さが薄くなっている。
【００４７】
次に、弧１２（図３中の太線部）に着目する。例えば焦点ＰにＬＥＤなどの光源を配置した場合、弧１２は光が当たらない領域となり、無駄な領域となる。従って、無駄な弧１２を排除して、平面からなる第２反射部５ｂを形成したのが、図３（ｃ）である。図３（ｃ）に示すように、焦点Ｐは、複数の第２反射部５ｂそれぞれを延ばしたときに形成される交線上に位置している。なお、この「交線」は、図３においては紙面と垂直な方向の直線となる。
【００４８】
このように、図２及び図３によれば、例えばＬＥＤなどの光源２を焦点と一致させることによって、複数の第１反射部５ａのうちどの第１反射部５ａにおいても、射出面６と垂直な方向に射出される光が均一に生成される。その結果、光源２近傍と光源２から離れた箇所とで、射出面６と垂直な方向に射出される光の光量のばらつきを抑えることができる。
【００４９】
なお、図３では、ＬＥＤなどの光源２そのものを焦点Ｐと一致させることとしたが、図１では、ＬＥＤなどの光源２に基づく発光点を焦点Ｐと一致させている。この発光点について、図４を用いて具体的に説明する。図４は、ＬＥＤなどの光源２に基づく発光点を焦点Ｐと一致させたときの様子を示す図である。
【００５０】
図４に示すように、光源２の出射点Ｐ'と、焦点Ｐとは、傾斜部４を軸として線対称の配置関係にある。すなわち、光源２の出射点Ｐ'から出射された光が傾斜部４で反射した後に通る光路と、光源２の出射点Ｐ'を焦点Ｐに配置したときに、傾斜部４を透過した光が通る光路とは、同じ光路となる。
【００５１】
このように、図４によれば、焦点Ｐと光源２の出射点Ｐ'とを一致させるのではなく、焦点Ｐと光源２に基づく発光点を一致させることによって、光源２の位置を反射面５側に移動させても同様の効果を得ることができ、ひいては導光体１及び光源２のコンパクトな配置設計が可能になる。なお、ここでは焦点Ｐと光源２に基づく発光点を完全一致させているが、本発明の趣旨を逸脱しない範囲で、光源２に基づく発光点を焦点Ｐの近傍（焦点Ｐ付近）としても構わない。
【００５２】
図５は、図３及び図４を用いて説明した導光体１の作用を基に、導光体１内部の光路を示した図である。
【００５３】
図５に示すように、光源２から出射された複数本の光は、それぞれミラーとして機能する傾斜部４で反射すると同時に、それぞれ第１反射部５ａにおいて、射出面６と垂直な方向に射出される光が生成される。その結果、光源２（に基づく発光点）近傍と、光源２（に基づく発光点）から離れた箇所とで、射出面６と垂直な方向に射出される光の光量にばらつきが少なくなる。
【００５４】
図６は、レンズアレイ７の作用を説明するための説明図である。特に、図６（ａ）及び図６（ｂ）は、レンズアレイ７を設けていない場合の光路を示しており、図６（ｃ）は、射出面６にレンズアレイ７を設けた場合の光路を示している。
【００５５】
図６（ａ）において、反射部５ａが放物面である場合、第１反射部５ａの中央から少しずれた位置で反射した光Ｌ01，光Ｌ02，Ｌ03，光Ｌ04は、光Ｌ00同様、射出面６と垂直な方向に少しずれた位置から射出される。したがって射出面６から見ると、射出する光線があるところと無いところに分かれるため、斑に見える。また、図６（ｂ）において、光源２から出射した光Ｌ10〜Ｌ14は、傾斜部４及び第１反射部５ａで反射した後、反射部５ａが平面である場合、射出面６から各方向へ射出される。第１反射部５ａの中央で反射した光Ｌ10は、射出面６と垂直な方向に射出され、第１反射部５ａの中央から少しずれた位置で反射した光Ｌ11，光Ｌ12は、射出面６と垂直な方向に対して少し傾いた方向に射出され、第１反射部５ａの中央から更にずれた位置で反射した光Ｌ13，光Ｌ14は、射出面６と垂直な方向に対して更に傾いた方向に射出される。
【００５６】
一方で、図６（ｃ）において、レンズアレイ７を構成する各々のレンズは、対向する第１反射部５ａのおよそ中央を焦点とするレンズである。ここで反射面５ａを第２発光点と見なせば、射出面６に設けられたレンズアレイ７を透過した光Ｌ20〜Ｌ24は、上述した光Ｌ10〜Ｌ14と異なり、レンズの屈折作用によって、いずれも射出面６と垂直な方向の光となる。従って、導光板１の射出面６を視認すると、射出する光線の無いところが少ないのがわかる。（射出面６と垂直な方向に射出される光線の幅が広がる）。その結果、図６（ａ）の場合と比べて光の無い領域を狭くすることができ、ひいては射出面６から射出される光をより均一化することができる（光量のばらつきを抑えることができる）。
【００５７】
図７は、図６を用いて説明したレンズアレイ７の作用を基に、導光体１内部の光路を示した図である。
【００５８】
図７に示すように、光源２から出射された複数本の光は、それぞれ傾斜部４で反射すると同時に、それぞれ第１反射部５ａにおいて、射出面６とおよそ垂直な方向に射出される光が生成される。一方、光源２から出射された光のうちの一部は、上述した突起部９の傾斜部９ａにおいて、射出面６とおよそ垂直な方向に射出される光が生成される。図８を用いて詳述する。
【００５９】
図８は、導光体１の突起部９から射出される光の光路を示した図である。
【００６０】
図８に示すように、光源２から出射された光のうち一部の光Ｌ４は、傾斜部４で反射した後、導光体１内をその長手方向に直進し、面取り部８に到達する。そして、面取り部８で反射すると、導光体１の長手方向と直交する方向（突起部９に入射する方向）の光が生成される。その後、突起部９に入射した光は、突起部９における傾斜部９ａでの反射を経て、射出面６とおよそ垂直な方向に射出される。これにより、入射された光を射出する射出面６をライン状ではなくＬ字形状にすることができる。
【００６１】
図９は、本発明の実施の形態に係る媒体ゲート機構１００を有するカードリーダの構成を示す概略構造図である。特に、図９（ａ）は、カードリーダの平面構造図であって、図９（ｂ）は、カードリーダを正面から見たときの外観構造図である。なお、本実施形態では、媒体ゲート機構として、カードリーダのゲート機構１００を考えたが、例えば紙幣処理装置のゲート機構など、カードやお札などの媒体が挿入されるゲート口を有する機構であれば如何なるものであっても構わない。
【００６２】
図９（ａ）及び図９（ｂ）において、媒体ゲート機構１００は、磁気ヘッド１０１が実装された基板１０２の先端（図９（ａ）の左側先端）付近に位置しており、カードが挿入されるゲート口１０３と、ゲート口１０３から挿入されたカードを内部に搬送するカード搬送機構１０４と、ゲート口１０３を構成するゲートフレーム１０５とを有している。
【００６３】
ここで、媒体ゲート機構１００は、さらに、基板１０２に実装された光源（例えばＬＥＤ）２からの光をゲートフレーム１０５に導く導光体１を備えている（図９（ａ）及び図９（ｂ）中の鎖線で示す）。導光体１の詳細については上述の通りである。そして、図９（ｂ）に示すように、Ｌ字形状の射出面６を有する導光体１を２個組み合わせて、細長形状に延びたゲート口１０３の上下左右（周囲）を光らせるようにしている。
【００６４】
また、ゲートフレーム１０５は、透明体で構成されるとともに、表面にはマット処理が施されている。従って、導光体１の射出面６（レンズアレイ７及び突起部９）から射出された光は、ゲートフレーム１０５内で過度の拡散によって弱まることなく、ゲートフレーム１０５の表面において適度に拡散され、ゲートフレーム全体の光強度は均一化されることになる。ゲートフレーム１０５を光らせたときの様子を、図９（ｃ）の斜線部で示す。
【００６５】
このように、導光体１を２個組み合わせることによって、少ない光源で効率的にゲートフレーム１０５を光らせることができるとともに、上述したレンズアレイ７の作用やゲートフレーム１０５表面のマット処理などによって、ゲートフレーム１０５から射出される光の光量のばらつきを抑えることができる。
【００６６】
なお、本実施形態では、ゲートフレーム１０５と導光体１とを別々に製造することとしたが、本発明はこれに限られず、例えば両者を一体的に形成することも可能である。これにより、製造工程の効率化に資することになる。
【産業上の利用可能性】
【００６７】
本発明に係る導光体及びその導光体を備えた媒体ゲート機構は、射出面から射出される光の光量のばらつきを抑えることが可能なものとして有用である。
【図面の簡単な説明】
【００６８】
【図１】本発明の実施の形態に係る導光体の外観構成を示す斜視図である。
【図２】図１に示す導光体を背面側（図１のＸ方向）から見たときの側面図である。
【図３】反射面の第１反射部において、反射光が射出面とおよそ垂直な方向の光となる原理を説明するための説明図である。
【図４】ＬＥＤなどの光源に基づく発光点を焦点Ｐと一致させたときの様子を示す図である。
【図５】図３及び図４を用いて説明した導光体の作用を基に、導光体内部の光路を示した図である。
【図６】レンズアレイの作用を説明するための説明図である。
【図７】図６を用いて説明したレンズアレイの作用を基に、導光体内部の光路を示した図である。
【図８】導光体の突起部から射出される光の光路を示した図である。
【図９】本発明の実施の形態に係る媒体ゲート機構を有するカードリーダの構成を示す概略構造図である。
【符号の説明】
【００６９】
１  導光体
２  光源
３  入射面
４  傾斜部
５  反射面
５ａ  第１反射部
５ｂ  第２反射部
６  射出面
７  レンズアレイ
８  面取り部
９  突起部
９ａ  傾斜部
１００  媒体ゲート機構
【図１】
0004565161.tif 000002
【図２】
0004565161.tif 000003
【図３】
0004565161.tif 000004
【図４】
0004565161.tif 000005
【図５】
0004565161.tif 000006
【図６】
0004565161.tif 000007
【図７】
0004565161.tif 000008
【図８】
0004565161.tif 000009
【図９】
0004565161.tif 000010